(57)【要約】【課題】適正なアンテナ接続が行われなかった場合であっても受信性能が悪化することを防止すること。【解決手段】接続検知部が、アンテナ素子がアンテナ接続部に接続されているか否かを検出し、アダプティブアレイ部が、複数の入力信号を受け付けて入力信号間の相関に基づいて各入力信号に対応する合成信号を出力する場合に、アンテナ対応付け部が、アンテナ素子の接続が検出されたアンテナ接続部からの信号を上記した入力信号のいずれかへ対応付けるように受信装置を構成する。【選択図】        図２
2010041574.tif 000002
【特許請求の範囲】
【請求項１】
複数のアンテナ素子がそれぞれ接続されるアンテナ接続部を有するアダプティブアレイ方式の受信装置であって、
前記アンテナ素子が前記アンテナ接続部に接続されているか否かを検出する接続検知手段と、
複数の入力信号を受け付け、前記入力信号間の相関に基づいて各入力信号に対応する合成信号を出力する合成信号出力手段と、
前記接続検知手段によって前記アンテナ素子の接続が検出された前記アンテナ接続部からの信号を前記合成信号出力手段における前記入力信号のいずれかへ対応付けるアンテナ対応付手段と
を備えたことを特徴とする受信装置。
【請求項２】
前記接続検知手段によって前記アンテナ素子の接続が検出された前記アンテナ接続部から前記合成信号出力手段を経由することなく受け取った信号および前記合成信号出力手段によって出力された前記合成信号の中から選択された信号を、前記アンテナ接続部と同数の高速フーリエ変換部のいずれかへ対応付ける信号対応付手段
をさらに備えたことを特徴とする請求項１に記載の受信装置。
【請求項３】
前記合成信号出力手段は、
前記複数の入力信号についての相関値を取得するものであって、
前記接続検知手段は、
前記合成信号出力手段によって取得された前記相関値に基づいて前記アンテナ接続部に前記アンテナ素子が接続されているか否かを検出することを特徴とする請求項１または２に記載の受信装置。
【請求項４】
２つの前記合成信号出力手段を備えており、かつ、前記接続検知手段が２つの前記アンテナ接続部に前記アンテナ素子がそれぞれ接続されていることを検出した場合に、
前記アンテナ対応付手段は、
前記接続検知手段によって前記アンテナ素子の接続が検出された前記アンテナ接続部からの信号を同一の前記合成信号出力手段の各入力信号へ対応付けることを特徴とする請求項１、２または３に記載の受信装置。
【請求項５】
前記アンテナ対応付手段によって前記アンテナ接続部からの信号が対応付けられなかった前記合成信号出力手段の動作を休止させる動作休止手段
をさらに備えたことを特徴とする請求項４に記載の受信装置。
【請求項６】
２つの前記合成信号出力手段を備えており、かつ、前記接続検知手段が４つの前記アンテナ接続部に前記アンテナ素子がそれぞれ接続されていることを検出した場合に、
前記アンテナ対応付手段は、
前記接続検知手段によって前記アンテナ素子の接続が検出された前記アンテナ接続部間の距離がそれぞれ最小となる２つの前記アンテナ接続部からなる２つの組に分けたうえで、片方の組からの信号を片方の前記合成信号出力手段の各入力信号へ、他方の組からの信号を他方の前記合成信号出力手段の各入力信号へ、それぞれ対応付けることを特徴とする請求項１、２または３に記載の受信装置。
【請求項７】
複数のアンテナ素子がそれぞれ接続されるアンテナ接続部を有するアダプティブアレイ方式の受信装置に適用されるアンテナ切替方法であって、
前記アンテナ素子が前記アンテナ接続部に接続されているか否かを検出する接続検知工程と、
複数の入力信号を受け付け、前記入力信号間の相関に基づいて各入力信号に対応する合成信号を出力する合成信号出力工程と、
前記接続検知工程によって前記アンテナ素子の接続が検出された前記アンテナ接続部からの信号を前記合成信号出力工程における前記入力信号のいずれかへ対応付けるアンテナ対応付工程と
を含んだことを特徴とするアンテナ切替方法。
【発明の詳細な説明】
【技術分野】
【０００１】
この発明は、複数のアンテナ素子がそれぞれ接続されるアンテナ接続部を有するアダプティブアレイ方式の受信装置およびアンテナ切替方法に関し、特に、適正なアンテナ接続が行われなかった場合であっても受信性能が悪化することを防止することができる受信装置およびアンテナ切替方法に関する。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
ところで、上記した車載用ＤＴＶ受信機の場合、車両の速度や向き、車両周辺の環境に応じて受信環境が絶えず変化するので、このような移動環境においても放送波を安定して受信することが求められている。
【０００４】
このため、複数のアンテナ素子（以下、単に「アンテナ」と記載する）からの信号の相関に基づいて利得（ゲイン）が高い合成波を得るアダプティブアレイ方式や、受信状態が良いアンテナからの信号を選択して利用するダイバーシティ方式といった方式が用いられている。
【０００５】
たとえば、特許文献１には、複数の経路から同一の電波を受信するマルチパスを検出した場合にはアダプティブアレイ方式へ、その他の場合にはダイバーシティ方式へ、それぞれ受信方式を切り替える技術が開示されている。
【０００６】
【特許文献１】特開２００２−２３２３８５号公報
【発明の開示】
【発明が解決しようとする課題】
【０００７】
しかしながら、特許文献１で用いられているアダプティブアレイ方式は、アダプティブアレイ処理を行う処理部に対して複数のアンテナが接続されていなければ、効果を発揮しないという問題がある。
【０００８】
たとえば、最大で４つのアンテナを接続でき、４つのチューナおよび２つのアダプティブアレイ処理部を有する車載用ＤＴＶ受信機の場合、各アダプティブアレイ処理部には、２つのアンテナからの信号がそれぞれ入力されることを前提としている。
【０００９】
しかし、２つのアンテナしか接続されず、かつ、各アダプティブアレイ処理部に１つのアンテナからの信号がそれぞれ入力された場合には、アダプティブアレイ方式による効果を全く得られない。
【００１０】
また、アダプティブアレイ方式では、アンテナ間の距離が短いアンテナの組み合わせを用いる方が合成利得を得やすい。しかし、アンテナ間の距離が長いアンテナの組み合わせが、１つのアダプティブアレイ処理部へ接続されると、アダプティブアレイ方式を用いた場合における最大の合成利得は得られない。
【００１１】
なお、このような不適切なアンテナ接続は、アンテナの接続が、販売店や利用者に委ねられているため十分に起こりうる。そして、誤ったアンテナ接続のまま車載用ＤＴＶ受信機が使用されると、車載用ＤＴＶ受信機が利用者から低い評価を受けることになりかねず、好ましくない。
【００１２】
これらのことから、適正なアンテナ接続が行われなかった場合であっても、受信性能が悪化しない車載用ＤＴＶ受信機をいかにして実現するかが大きな課題となっている。なお、かかる課題は、車載用ＤＴＶ受信機に限らず、複数のアンテナを接続可能な受信装置全般に共通して発生する課題である。
【００１３】
この発明は、上述した従来技術による問題点を解消するためになされたものであり、適正なアンテナ接続が行われなかった場合であっても受信性能が悪化することを防止することができる受信装置およびアンテナ切替方法を提供することを目的とする。
【課題を解決するための手段】
【００１４】
上述した課題を解決し、目的を達成するため、本発明は、複数のアンテナ素子がそれぞれ接続されるアンテナ接続部を有するアダプティブアレイ方式の受信装置であって、前記アンテナ素子が前記アンテナ接続部に接続されているか否かを検出する接続検知手段と、複数の入力信号を受け付け、前記入力信号間の相関に基づいて各入力信号に対応する合成信号を出力する合成信号出力手段と、前記接続検知手段によって前記アンテナ素子の接続が検出された前記アンテナ接続部からの信号を前記合成信号出力手段における前記入力信号のいずれかへ対応付けるアンテナ対応付手段とを備えたことを特徴とする。
【００１５】
また、本発明は、複数のアンテナ素子がそれぞれ接続されるアンテナ接続部を有するアダプティブアレイ方式の受信装置に適用されるアンテナ切替方法であって、前記アンテナ素子が前記アンテナ接続部に接続されているか否かを検出する接続検知工程と、複数の入力信号を受け付け、前記入力信号間の相関に基づいて各入力信号に対応する合成信号を出力する合成信号出力工程と、前記接続検知工程によって前記アンテナ素子の接続が検出された前記アンテナ接続部からの信号を前記合成信号出力工程における前記入力信号のいずれかへ対応付けるアンテナ対応付工程とを含んだことを特徴とする。
【発明の効果】
【００１６】
本発明によれば、アンテナ素子がアンテナ接続部に接続されているか否かを検出したうえで、複数の入力信号を受け付けて入力信号間の相関に基づいて各入力信号に対応する合成信号を出力する場合に、アンテナ素子の接続が検出されたアンテナ接続部からの信号を上記した入力信号のいずれかへ対応付けることとしたので、適正なアンテナ接続が行われなかった場合であっても、受信性能が悪化することを防止することができるという効果を奏する。
【発明を実施するための最良の形態】
【００１７】
以下に添付図面を参照して、この発明に係る受信装置およびアンテナ切替方法の好適な実施例を説明する。なお、以下では、本発明に係るアンテナ切替手法の概要について説明した後に、本発明に係るアンテナ切替手法を適用した受信装置についての実施例を説明することとする。
【００１８】
まず、本発明に係るアンテナ切替手法について図１を用いて説明する。図１は、本発明に係るアンテナ切替手法の概要を示す図である。なお、同図の（Ａ）には、従来の受信装置における問題点を、同図の（Ｂ）には、本発明に係るアンテナ切替手法の概要を、それぞれ示している。
【００１９】
同図の（Ａ）に示すように、アンテナ＃１〜アンテナ＃４を接続可能な受信装置の場合、放送波の検波・増幅を行うＲＦ（Radio  Frequency）／ＩＦ（Intermediate  Frequency）が各アンテナに対応して設けられており、各アンテナからの信号は、２つのアダプティブアレイ部のいずれかに固定されている。
【００２０】
たとえば、アンテナ＃１からの信号は、ＲＦ／ＩＦ（＃１）を経由し、片方のアダプティブアレイ部のＡ１に示す入力部へ、アンテナ＃２からの信号は、ＲＦ／ＩＦ（＃２）を経由して同じアダプティブアレイ部のＡ２に示す入力部へ、それぞれ入力されている。
【００２１】
また、アンテナ＃３からの信号は、他方のアダプティブアレイ部におけるＢ１に示す入力部へ、アンテナ＃４からの信号は、同じアダプティブアレイ部におけるＢ２に示す入力部へ、それぞれ入力されている。なお、各アダプティブアレイ部は、入力された信号系統と同数の合成信号（合成波）を出力し、各合成波は、アンテナ数と同数のＦＦＴ（Fast  Fourier  Transform）で処理されることになる。
【００２２】
このように、４アンテナ＋４チューナ型の受信装置では、すべてのアンテナが接続されたことを前提としてアンテナ接続を固定化しているので、アンテナが接続されない場合には、受信性能が悪化してしまう。
【００２３】
たとえば、同図の波線で示したように、アンテナ＃２およびアンテナ＃４が接続されなかった場合には、各アダプティブアレイ部には、１系統のアンテナ信号しか入力されない。しかし、アダプティブアレイ部は、複数系統の信号の相関に基づいて合成波を生成するため、１系統の信号では、アダプティブアレイ方式による効果を全く発揮することができない。
【００２４】
そこで、本発明に係るアンテナ切替手法では、各アンテナが実際に接続されているか否かを検知して、アンテナ接続が検知された系統の信号を、任意のアダプティブアレイ部における任意の入力部へ自由に切り替えられるようにした。
【００２５】
たとえば、同図の（Ａ）に示した場合と同様に、アンテナ＃２およびアンテナ＃４が接続されていないことを検知した場合、同図の（Ｂ）に示すように、アンテナ＃１からの信号は、片方のアダプティブアレイ部のＡ１に示す入力部へ、アンテナ＃３からの信号は、同じアダプティブアレイ部のＡ２に示す入力部へ、それぞれ対応付けられる。したがって、入力部Ａ１およびＡ２を有するアダプティブアレイ部は、２系統の信号に基づいてアダプティブアレイ方式による効果を発揮することができる。
【００２６】
このように、本発明に係るアンテナ切替手法では、アンテナ接続を検知し（同図の（１）参照）、アンテナ接続が検知された系統におけるアンテナ信号を適切なアダプティブアレイ部の入力部へ切り替えることとした（同図の（２）参照）。したがって、本発明に係るアンテナ切替手法によれば、適正なアンテナ接続が行われなかった場合であっても受信性能が悪化することを防止することができる。
【００２７】
以下では、図１を用いて説明したアンテナ切替手法を適用した受信装置についての実施例１および実施例２について説明する。なお、実施例１では、各アンテナからの信号を適切なアダプティブアレイ部へ対応付ける基本的な構成について、実施例２では、アダプティブアレイ部からの出力および各アンテナからの信号を適切なＦＦＴへ対応付ける構成を実施例１の構成に追加した場合について、それぞれ説明することとする。
【００２８】
なお、以下に示す各実施例では、最大４つのアンテナを接続することができる受信装置について説明する。
【実施例１】
【００２９】
本実施例１では、各アンテナからの信号を適切なアダプティブアレイ部へ対応付ける基本的な構成について説明する。図２は、実施例１に係る受信装置１０の構成を示すブロック図である。なお、同図では、４つのアンテナ系統を含んだ受信装置１０について示しており、同一の構成要素が複数ある場合には、該当する構成要素の符号に対して「１―１」、「１−２」のような枝番を付している。
【００３０】
また、受信装置１０には、最大で４つのアンテナ１（アンテナ１−１〜アンテナ１−４）を接続することができる。なお、受信装置１０は、各アンテナ１を接続するための図示しない接続部を有しているものとする。
【００３１】
同図に示すように、受信装置１０は、アンテナ系統ごとに、接続検知部１１（接続検知部１１−１〜接続検知部１１−４）と、ＲＦ（Radio  Frequency）／ＩＦ（Intermediate  Frequency）１２（ＲＦ／ＩＦ１２−１〜ＲＦ／ＩＦ１２−４）とを、それぞれ備えている。
【００３２】
また、受信装置１０は、アンテナ対応付け部１３と、それぞれが２つの入力部を有するアダプティブアレイ部１４（アダプティブアレイ部１４−１〜アダプティブアレイ部１４−２）と、ＦＦＴ（Fast  Fourier  Transform）１５（ＦＦＴ１５−１〜ＦＦＴ１５−４）と、最大比合成部１６と、ＯＦＤＭ（Orthogonal  Frequency  Division  Multiplexing）復号部１７と、設定部１８と、記憶部１９とを備えている。また、記憶部１９は、対応付け情報１９ａを記憶する。
【００３３】
接続検知部１１（接続検知部１１−１〜接続検知部１１−４）は、アンテナ１（アンテナ１−１〜アンテナ１−４）が、図示しない各接続部へそれぞれ接続されているか否かを検知する処理部である。この接続検知部１１は、アダプティブアレイ部１４から受け取った相関値に基づいてアンテナ１が接続部へ接続されているか否かを検出する。また、接続検知部１１は、アンテナ１からの信号をＲＦ／ＩＦ１２へ出力する処理および検知結果をアンテナ対応付け部１３へ通知する処理を併せて行う。
【００３４】
なお、アンテナ１からのケーブルが各接続部に接続されたか否かを、電子的あるいは機械的に検知したり、各アンテナ系統についてのＡＧＣ（Auto  Gain  Control）電圧に基づいて検知したりすることとしてもよい。
【００３５】
ＲＦ／ＩＦ１２（ＲＦ／ＩＦ１２−１〜ＲＦ／ＩＦ１２−４）は、接続検知部１１経由で受け取ったアンテナ１からの信号について、検波・増幅を行うデバイスである。このＲＦ／ＩＦ１２は、アンテナ１−１に対応する信号を信号＃１として、アンテナ１−２に対応する信号を信号＃２として、アンテナ１−３に対応する信号を信号＃３として、アンテナ１−４に対応する信号を信号＃４として、それぞれアンテナ対応付け部１３へ通知する。
【００３６】
アンテナ対応付け部１３は、接続検知部１１から受け取った検知結果と、記憶部１９の対応付け情報１９ａとに基づき、信号＃１〜信号＃４を、アダプティブアレイ部１４−１あるいはアダプティブアレイ部１４−２の各入力部に対応付ける処理を行う。
【００３７】
ここで、アンテナ対応付け部１３が行うアンテナ対応付けの例について図３および図４を用いて説明しておく。図３は、アンテナ対応付け例その１を示す図である。なお、同図に示したのは、アンテナ１−１およびアンテナ１−２が接続されており、アンテナ１−３およびアンテナ１−４が未接続である旨が、各接続検知部（接続検知部１１−１〜接続検知部１１−４）によって検知され、対応付け情報１９ａに、アダプティブアレイ部１４−１をアダプティブアレイ部１４−２よりも優先して使用する旨の設定がなされている場合の例である。
【００３８】
また、各アンテナ１（アンテナ１−１〜アンテナ１−４）は、同図の下部に示した車両における＃１〜＃４の位置に、それぞれ配置されるものとする。すなわち、アンテナ１−１とアンテナ１−２との組み合わせ、および、アンテナ１−３とアンテナ１−４との組み合わせが、アンテナ間の距離が最小となる組み合わせである。
【００３９】
同図に示した場合、アンテナ対応付け部１３は、検知結果および対応付け情報１９ａに基づき、ＲＦ／ＩＦ１２−１からの信号＃１およびＲＦ／ＩＦ１２−２からの信号＃２をアダプティブアレイ部１４−１に対応付ける。なお、アンテナ対応付け部１３は、信号が対応付けられていないアダプティブアレイ部１４−２の動作を休止させる指示を行うものとする。このようにすることで、受信装置１０全体としての処理負荷を低減することができる。
【００４０】
なお、アダプティブアレイ部１４−１は、アンテナ１−１からの信号に対応する合成信号をＦＦＴ１５−１へ、アンテナ１−２からの信号に対応する合成信号をＦＦＴ１５−２へそれぞれ出力する。
【００４１】
図４は、アンテナ対応付け例その２を示す図である。なお、同図に示したのは、アンテナ１−１およびアンテナ１−３が接続されており、アンテナ１−２およびアンテナ１−４が未接続である旨が、各接続検知部（接続検知部１１−１〜接続検知部１１−４）によって検知され、対応付け情報１９ａに、アダプティブアレイ部１４−１をアダプティブアレイ部１４−２よりも優先して使用する旨の設定がなされている場合の例である。また、各アンテナの配置は、図３と同様であるものとする。
【００４２】
同図に示した場合、アンテナ対応付け部１３は、検知結果および対応付け情報１９ａに基づき、ＲＦ／ＩＦ１２−１からの信号＃１およびＲＦ／ＩＦ１２−３からの信号＃３をアダプティブアレイ部１４−１に対応付ける。なお、アンテナ対応付け部１３は、信号が対応付けられていないアダプティブアレイ部１４−２の動作を休止させる指示を行う点は、図３の場合と同様である。
【００４３】
図２の説明に戻り、アダプティブアレイ部１４について説明する。アダプティブアレイ部１４（アダプティブアレイ部１４−１〜アダプティブアレイ部１４−２）は、アンテナ対応付け部１３によって図示しない入力部へ対応付けられたアンテナ１からの信号を入力信号とし、入力信号間の相関をとることで各入力信号に対応する合成信号（合成波）を出力する処理を行う。
【００４４】
なお、アダプティブアレイ部１４―１が出力した合成波は、ＦＦＴ１５−１およびＦＦＴ１５−２へ、アダプティブアレイ部１４−２が出力した合成波は、ＦＦＴ１５−３およびＦＦＴ１５−４へ、それぞれ出力される。
【００４５】
ＦＦＴ（Fast  Fourier  Transform）１５（ＦＦＴ１５−１〜ＦＦＴ１５−４）は、アダプティブアレイ部１４（アダプティブアレイ部１４−１〜アダプティブアレイ部１４−２）から受け取った合成信号を、高速フーリエ変換したうえで最大比合成部１６へ渡す処理を行う。
【００４６】
最大比合成部１６は、各ＦＦＴ１５（ＦＦＴ１５−１〜ＦＦＴ１５−４）の出力を最大比合成する処理を行う処理部である。また、ＯＦＤＭ復号部１７は、最大比合成部１６の出力についてＯＦＤＭ（Orthogonal  Frequency  Division  Multiplexing）復号処理を行うことで、ＴＳ（Transport  Stream）信号を生成する処理を行う処理部である。
【００４７】
なお、このＯＦＤＭ復号部１７は、１系統のＴＳ信号を出力することも（１ＴＳ出力）、２系統のＴＳ信号を出力することも（２ＴＳ出力）可能であるものとする。たとえば、ＯＦＤＭ復号部１７は、アンテナ１−１およびアンテナ１−２に由来する信号について１ＴＳ出力を行い、アンテナ１−３およびアンテナ１−４に由来する信号について１ＴＳ出力を行うことで、２ＴＳ出力を行う。
【００４８】
設定部１８は、操作ボタンやタッチパネル式ディスプレイといった入力デバイスで構成され、アンテナ対応付け部１３がアンテナ対応付け処理を行う際の、対応付けパターンに相当する対応付け情報１９ａを記憶部１９へ登録する処理を行う。なお、この設定部１８は、記憶部１９にあらかじめ登録されている対応付け情報１９ａの修正を行うこととしてもよいし、設定部１８を省略し、記憶部１９にあらかじめ登録されている対応付け情報１９ａをそのまま使用することとしてもよい。
【００４９】
記憶部１９は、メモリやハードディスクドライブといった記憶デバイスで構成される記憶部であり、対応付け情報１９ａを記憶する。対応付け情報１９ａは、各アンテナ１（アンテナ１−１〜アンテナ１−４）の接続／未接続のパターンごとに、アンテナ対応付け部１３に入力される信号＃１〜信号＃４を対応付けるべき、各アダプティブアレイ部１４（アダプティブアレイ部１４−１〜アダプティブアレイ部１４―２）を定めた情報である。
【００５０】
次に、実施例１に係る受信装置１０が実行する処理手順について図５を用いて説明する。図５は、実施例１に係る受信装置１０が実行する処理手順を示すフローチャートである。同図に示すように、設定部１８経由で対応付け情報１９ａが設定されると（ステップＳ１０１）、接続検知部１１（接続検知部１１−１〜接続検知部１１−４）は、アンテナ接続検知を行う（ステップＳ１０２）。
【００５１】
そして、アンテナ対応付け部１３は、対応付け情報１９ａおよび接続検知結果に基づいてアダプティブアレイ部１４（アダプティブアレイ部１４−１〜アダプティブアレイ部１４−２）へアンテナ信号を対応付ける（ステップＳ１０３）。
【００５２】
つづいて、ＦＦＴ１５（ＦＦＴ１５−１〜ＦＦＴ１５−４）は、アダプティブアレイ部１４（アダプティブアレイ部１４−１〜アダプティブアレイ部１４−２）の出力を高速フーリエ変換処理し（ステップＳ１０４）、最大比合成部１６が最大比合成処理を行う（ステップＳ１０５）。そして、ＯＦＤＭ復号部１７がＯＦＤＭ復号処理を行い（ステップＳ１０６）、処理を終了する。
【００５３】
上述してきたように、本実施例１によれば、接続検知部が、アンテナ素子がアンテナ接続部に接続されているか否かを検出し、アダプティブアレイ部が、複数の入力信号を受け付けて入力信号間の相関に基づいて各入力信号に対応する合成信号を出力する場合に、アンテナ対応付け部が、アンテナ素子の接続が検出されたアンテナ接続部からの信号を上記した入力信号のいずれかへ対応付けるように受信装置を構成したので、適正なアンテナ接続が行われなかった場合であっても、受信性能が悪化することを防止することができる。
【００５４】
なお、上述した実施例１で行ったアンテナ対応付け処理に加えて、アダプティブアレイ部からの出力および各アンテナからの信号を適切なＦＦＴへ対応付ける処理を行うこととしてもよい。そこで、以下では、アダプティブアレイ部からの出力および各アンテナからの信号を適切なＦＦＴへ対応付ける構成を実施例１の構成に追加した実施例２について説明することとする。
【実施例２】
【００５５】
図６は、実施例２に係る受信装置１０ａの構成を示すブロック図である。なお、以下では、図２に示した実施例１に係る受信装置１０と共通の構成要素については、同一の符号を付し、説明を省略するか簡単な説明にとどめることとする。
【００５６】
同図に示すように、受信装置１０ａは、信号対応付け部２０をさらに備え、この信号対応付け部２０は、対応付け情報１９ａに基づき、各信号（同図に示す＃１〜＃８）を各ＦＦＴ１５（ＦＦＴ１５−１〜ＦＦＴ１５−４）へ対応付ける点で、受信装置１０（図２参照）とは異なる。
【００５７】
同図に示すように、各ＲＦ／ＩＦ１２からの信号は、アンテナ対応付け部１３と、信号対応付け部２０とに分岐される。そして、信号対応付け部２０は、各ＲＦ／ＩＦ１２からの４系統分の信号（信号＃１〜信号＃４）と、アンテナ対応付け部１３およびアダプティブアレイ部１４（アダプティブアレイ部１４−１〜アダプティブアレイ部１４−２）を経由した４系統分の信号（信号＃５〜信号＃８）とを、入力信号として受け取る。
【００５８】
そして、信号対応付け部２０は、対応付け情報１９ａに基づき、８つの信号（信号＃１〜信号＃８）の中から任意に選択された信号を、いずれかのＦＦＴ１５（ＦＦＴ１５−１〜ＦＦＴ１５−４）へ対応付ける。
【００５９】
ここで、信号対応付け部２０が行う信号対応付けの例について図７〜図９を用いて説明する。図７は、信号対応付け例その１を示す図である。なお、同図に示したのは、アンテナ１−１〜アンテナ１−４がすべて接続されていることが各接続検知部１１（接続検知部１１−１〜接続検知部１１−４）によって検知され、対応付け情報１９ａに、アダプティブアレイ部１４（アダプティブアレイ部１４−１〜アダプティブアレイ部１４−２）による合成波のみを用いる旨の設定がなされている場合の例である。
【００６０】
同図に示すように、アンテナ対応付け部１３は、ＲＦ／ＩＦ１２−１からの信号＃１およびＲＦ／ＩＦ１２−２からの信号＃２をアダプティブアレイ部１４−１へ対応付け、ＲＦ／ＩＦ１２−３からの信号＃３およびＲＦ／ＩＦ１２−４からの信号＃４をアダプティブアレイ部１４―２へ対応付ける。
【００６１】
そして、信号対応付け部２０は、アダプティブアレイ部１４−１からの信号＃５をＦＦＴ１５−１へ、信号＃６をＦＦＴ１５−２へ、それぞれ対応付けるとともに、アダプティブアレイ部１４−２からの信号＃７をＦＦＴ１５−３へ、信号＃８をＦＦＴ１５−４へ、それぞれ対応付ける。
【００６２】
図８は、信号対応付け例その２を示す図である。なお、同図に示したのは、アンテナ１−１およびアンテナ１−２が接続されており、アンテナ１−３およびアンテナ１−４が未接続である旨が、各接続検知部（接続検知部１１−１〜接続検知部１１−４）によって検知され、対応付け情報１９ａに、アンテナ信号および合成信号（アダプティブアレイ部１４の出力信号）を併用する旨の設定がなされている場合の例である。
【００６３】
同図に示すように、アンテナ対応付け部１３は、ＲＦ／ＩＦ１２−１からの信号＃１およびＲＦ／ＩＦ１２−２からの信号＃２をアダプティブアレイ部１４−１へ対応付ける。そして、信号対応付け部２０は、ＲＦ／ＩＦ１２−１からの信号＃１をＦＦＴ１５−１へ、ＲＦ／ＩＦ１２−２からの信号＃２をＦＦＴ１５−２へ、それぞれ対応付けるとともに、アダプティブアレイ部１４−１からの信号＃５をＦＦＴ１５−３へ、信号＃６をＦＦＴ１５−４へ、それぞれ対応付ける。
【００６４】
図９は、信号対応付け例その３を示す図である。なお、同図に示したのは、アンテナ１−１およびアンテナ１−３が接続されており、アンテナ１−２およびアンテナ１−４が未接続である旨が、各接続検知部（接続検知部１１−１〜接続検知部１１−４）によって検知され、対応付け情報１９ａに、アンテナ信号および合成信号（アダプティブアレイ部１４の出力信号）を併用する旨の設定がなされている場合の例である。
【００６５】
同図に示すように、アンテナ対応付け部１３は、ＲＦ／ＩＦ１２−１からの信号＃１をおよびＲＦ／ＩＦ１２−３からの信号＃３をアダプティブアレイ部１４−１へ対応付ける。そして、信号対応付け部２０は、ＲＦ／ＩＦ１２−１からの信号＃１をＦＦＴ１５−１へ、ＲＦ／ＩＦ１２−３からの信号＃３をＦＦＴ１５−２へ、それぞれ対応付けるとともに、アダプティブアレイ部１４−１からの信号＃５をＦＦＴ１５−３へ、信号＃６をＦＦＴ１５−４へ、それぞれ対応付ける。
【００６６】
次に、実施例２に係る受信装置１０ａが実行する処理手順について図１０を用いて説明する。図１０は、実施例２に係る受信装置１０ａが実行する処理手順を示すフローチャートである。同図に示すように、設定部１８経由で対応付け情報１９ａが設定されると（ステップＳ２０１）、接続検知部１１（接続検知部１１−１〜接続検知部１１−４）は、アンテナ接続検知を行う（ステップＳ２０２）。
【００６７】
そして、アンテナ対応付け部１３は、対応付け情報１９ａおよび接続検知結果に基づいてアダプティブアレイ部１４（アダプティブアレイ部１４−１〜アダプティブアレイ部１４−２）へアンテナ信号を対応付ける（ステップＳ２０３）。
【００６８】
つづいて、信号対応付け部２０は、対応付け情報１９ａに基づいてアンテナ信号（各ＲＦ／ＩＦ１２から直接受け取った信号）およびアダプティブアレイ部１４の出力を、各ＦＦＴ部（ＦＦＴ１５−１〜ＦＦＴ１５―４）へ対応付ける（ステップＳ２０４）。
【００６９】
つづいて、ＦＦＴ１５（ＦＦＴ１５−１〜ＦＦＴ１５−４）は、受け取った信号を高速フーリエ変換処理し（ステップＳ２０５）、最大比合成部１６が最大比合成処理を行う（ステップＳ２０６）。そして、ＯＦＤＭ復号部１７がＯＦＤＭ復号処理を行い（ステップＳ２０７）、処理を終了する。
【００７０】
このように、本実施例２では、接続検知部が、アンテナ素子がアンテナ接続部に接続されているか否かを検出し、アダプティブアレイ部が、複数の入力信号を受け付けて入力信号間の相関に基づいて各入力信号に対応する合成信号を出力する場合に、アンテナ対応付け部が、アンテナ素子の接続が検出されたアンテナ接続部からの信号をアダプティブアレイ部における入力信号のいずれかへ対応付け、信号対応付け部が、アンテナ素子の接続が検出されたアンテナ接続部からアダプティブアレイ部を経由することなく受け取った信号およびアダプティブアレイ部によって出力された合成信号の中から選択された信号を、アンテナ接続部と同数の高速フーリエ変換部のいずれかへ対応付けるように受信装置を構成した。
【００７１】
したがって、アダプティブアレイ部を経由しないアンテナ信号およびアダプティブアレイ部によって出力された合成信号（合成波）の中から任意に選択した信号を用いて高速フーリエ変換処理等の後段の処理を行うことができる。
【００７２】
なお、上記した実施例１および実施例２では、アダプティブアレイ部１４（アダプティブアレイ部１４−１〜アダプティブアレイ部１４−２）が、２系統の信号を入力信号として受け取る場合について示したが、２系統以上の信号を入力信号として受け取るアダプティブアレイ部を用いることとしてもよい。そこで、以下では、２系統以上の信号を入力信号として受け取るアダプティブアレイ部を備えた受信装置に本発明を適用した場合について説明する。
【００７３】
図１１は、信号対応付けの変形例を示す図である。なお、同図に示したのは、アンテナ１−１〜アンテナ１−４がすべて接続されていることが各接続検知部１１（接続検知部１１−１〜接続検知部１１−４）によって検知され、対応付け情報１９ａに、アンテナ信号および合成信号（アダプティブアレイ部１４の出力信号）を併用する旨の設定がなされている場合の例である。
【００７４】
同図に示すように、アンテナ対応付け部１３は、ＲＦ／ＩＦ１２−１からの信号＃１、ＲＦ／ＩＦ１２−２からの信号＃２およびＲＦ／ＩＦ１２−３からの信号＃３をアダプティブアレイ部１４−１へ対応付ける。そして、信号対応付け部２０は、ＲＦ／ＩＦ１２−４からの信号＃４をＦＦＴ１５−１へ対応付けるとともに、アダプティブアレイ部１４−１からの信号＃５をＦＦＴ１５−２へ、信号＃６をＦＦＴ１５−３へ、信号＃７をＦＦＴ１５−４へ、それぞれ対応付ける。
【００７５】
図１２は、１つのアダプティブアレイ部を有する受信装置の構成を示すブロック図である。同図に示すように、受信装置１０ｂは、４系統の信号を入力信号として受け取るアダプティブアレイ部１４−１を備えている。このように、アダプティブアレイ部が１つである場合にも、上記した実施例１および実施例２と同様に本発明を適用することができる。
【産業上の利用可能性】
【００７６】
以上のように、本発明に係る受信装置およびアンテナ切替方法は、適正なアンテナ接続が行われなかった場合であっても受信性能が悪化することを防止したい場合に適しており、特に、移動体などのように受信状況が変化しやすい環境における放送波の受信に適している。
【図面の簡単な説明】
【００７７】
【図１】本発明に係るアンテナ切替手法の概要を示す図である。
【図２】実施例１に係る受信装置の構成を示すブロック図である。
【図３】アンテナ対応付け例その１を示す図である。
【図４】アンテナ対応付け例その２を示す図である。
【図５】実施例１に係る受信装置が実行する処理手順を示すフローチャートである。
【図６】実施例２に係る受信装置の構成を示すブロック図である。
【図７】信号対応付け例その１を示す図である。
【図８】信号対応付け例その２を示す図である。
【図９】信号対応付け例その３を示す図である。
【図１０】実施例に係る受信装置が実行する処理手順を示すフローチャートである。
【図１１】信号対応付けの変形例を示す図である。
【図１２】１つのアダプティブアレイ部を有する受信装置の構成を示すブロック図である。
【符号の説明】
【００７８】
１    アンテナ
１０    受信装置
１１    接続検知部
１２    ＲＦ／ＩＦ
１３    アンテナ対応付け部
１４    アダプティブアレイ部
１５    ＦＦＴ
１６    最大比合成部
１７    ＯＦＤＭ復号部
１８    設定部
１９    記憶部
１９ａ  対応付け情報
２０    信号対応付け部
【図１】
2010041574.tif 000003
【図２】
2010041574.tif 000004
【図３】
2010041574.tif 000005
【図４】
2010041574.tif 000006
【図５】
2010041574.tif 000007
【図６】
2010041574.tif 000008
【図７】
2010041574.tif 000009
【図８】
2010041574.tif 000010
【図９】
2010041574.tif 000011
【図１０】
2010041574.tif 000012
【図１１】
2010041574.tif 000013
【図１２】
2010041574.tif 000014